(57)【要約】　　　（修正有）【課題】畜産、食品残さ、生ゴミ等の有機物を密閉、縦型の発酵槽に投入し、堆肥を産出する装置を提供する。【解決手段】加熱源１５から下部加熱ジャケット１２、側面加熱ジャケット１３、上部加熱ジャケット１４に加熱した空気を供給し発酵槽内を暖め保温することにより堆肥を生産する。【選択図】　　図２
2004002050.tif 000002
【特許請求の範囲】
【請求項１】
発酵槽の周囲に保温層および加熱ジャケットを装備し加熱ジャケット内を加熱源で加熱した空気を循環させ発酵槽内を加熱・保温する事により発酵を促進させることが出来る密閉縦型堆肥化装置
【発明の詳細な説明】
【０００１】
【発明の属する技術分野】
本発明は畜糞、食品残渣、生ゴミ、等の有機物を密閉、縦型の発酵槽に投入し堆肥を産出する装置に関する。
【０００２】
【従来の技術】
密閉縦型堆肥化装置は設置面積が少なく脱臭方法が容易であることから畜糞などの有機性物質の堆肥化装置として使用されてきた。しかし、寒冷地では低温のため微生物の活動が低下するため、冬季には処理量が極端に低下するために大型の装置を導入する必要があり、また極端な場合は使用出来ないことという問題点があった。また、寒冷地以外でも冬季は処理量が低下した。また、発酵立ち上げ時に時間がかかる、水分過多などで発酵不良になった場合の対応が難しかった。これらの問題点を解決するため通気攪拌翼から燃焼・加熱空気を通気する方法、二槽式の下部発酵槽の上部にバーナーの熱風を送気する方法があるが前者は効果が薄く、後者は処理物が発火しやすいなどという問題点があった。
【０００３】
【発明が解決しようとする課題】
上記の従来の技術では、寒冷地での密閉縦型堆肥化装置の使用を困難としていた。本発明は、上記問題点を解決することを目的としてなされたものであり、寒冷地で冬季の密閉縦型堆肥化装置の使用を可能とするとともに寒冷地以外でも冬季の堆肥生産量を夏場と同等以上にし、発酵の立ち上がりが速く発酵不良時にも対処できる密閉縦型堆肥化装置を提供することを目的とする。
【０００４】
【課題を解決するための手段】
上記の課題を解決するために、本発明の密閉縦型堆肥化装置は、発酵槽の上部、下部、側面部に保温層を設け、更に保温層の内側に加熱源で暖められた空気を通すジャケットを設け加熱された空気を循環させることにより発酵槽内を加温することができる。加熱源は、灯油、ＬＰガス等バーナーあるいは電気ヒーターなどの種類を特定する物ではない。このため、周囲雰囲気が低温であってもまた投入物が低温であっても発酵槽内の温度を高温に維持できるため発酵が継続し堆肥が生産される。
【０００５】
【発明の実施の形態】
従来の技術で製作された密閉縦型堆肥化装置を比較のため図１を参照して説明をする。密閉縦型堆肥化装置は発酵槽が複数で構成されることもあるが単一発酵槽の例を示す。発酵槽１の内部に回転中心軸２があり駆動油圧シリンダー３で駆動され適宜回転するようになっており、回転中心軸２の中心部にはブロワ４で空気が供給され回転中心軸２の下部に設置された撹拌通気翼５から発酵槽内へ送気される。また、攪拌翼６が複数回転中心軸２に取り付けられ撹拌通気翼５とともに発酵槽１内の畜糞７を撹拌できるようになっている。畜糞を処理対象物として記述するが処理物は畜糞だけに限定されず、生ゴミ、食品廃棄物などの有機性物質でも適応可能である。送気された空気は排気口より発酵槽１外に排出される。発酵槽１の外周の一部には保温層８が設けられている。
【０００６】
このように構成された従来の技術で製作された密閉縦型堆肥化装置の作用を以下に記す。戻し堆肥あるいは水分調整材で発酵に適した水分に調整された畜糞７を発酵槽１の中に投入する。畜糞７は撹拌通気翼５および攪拌翼６で適度に撹拌されまた撹拌通気翼５からの空気供給をうけ好気性菌が活動し易い状態に保たれる。このため温暖地あるいは寒冷地でも冬場以外は好気性菌による発酵が行われ堆肥生産ができる。しかし、冬場などでは保温層８があるとはいえ発酵槽１の外面からの放熱が多く、また投入する畜糞の温度が低いことから好気性菌の活性が落ち処理量が温暖期より低下し、極端な場合は全く処理できない状況になる。また、水分過多などで急激な発酵不良時の対策が取りにくいという欠点があった。
【０００７】
本発明の密閉縦型堆肥化装置を図２を参照して説明する。発酵槽１の下部に下部保温層９、側面に側面保温層１０、上部に上部保温層１１が設けられ、各保温層の中には断熱材が充填され発酵槽１からの放熱が極力抑えられるようになっている。下部保温層９、側面保温層１０、上部保温層１１と発酵槽１の間にはそれぞれ下部加熱ジャケット１２、側面加熱ジャケット１３、上部加熱ジャケット１４が装備されている。加熱源１５で暖められた空気が下部加熱ジャケット１２に供給され連結管１６を経て側面加熱ジャケット１３内を通過しさらに連結管１７を経て上部加熱ジャケット１４を通過し排気ダクト１８から外気中に放出される。空気を加熱する方法は灯油、ＬＰガスなどのバーナーあるいは電気ヒーターまたは発電機の廃熱などの種類を限定するものではない。
【０００８】
上記のように構成された密閉縦型堆肥化装置の作用を以下に記す。投入方法、撹拌方法等に関しては前述した従来の技術で製作された密閉縦型堆肥化装置と同じである。発酵槽１の周囲は上部保温層１１と側面保温層１０と下部保温層９で覆われているため放熱が極力抑える構造になっているため外気温の低下に強い構造になっている。しかし、外気温が更に低く、投入物の温度が下がり発酵槽１内の好気性菌の活動が低下した場合、加熱源１５で加熱した空気が下部加熱ジャケット１２、側面加熱ジャケット１３、上部加熱ジャケット１４に供給され発酵槽１内に熱供給する事ができる。加熱源１５からの熱供給は発酵槽１の温度をモニターして制御することも可能である。このため発酵槽１内の温度が低下することが無く堆肥化処理が継続される。加熱源１５からの加熱空気の供給は温度が極端に低下した時だけではなく密閉縦型堆肥化装置の最大性能を常時発揮することが出来るように適宜供給することも可能である。
【０００９】
上部加熱ジャケット１４への加熱空気の供給は発酵による処理物から生じる水蒸気が結露して発酵槽１内に戻り処理効率が低下することを防止するという利点を持つ。
【００１０】
好気性菌による発酵は処理物の水分率によって影響を大きく受け水分率が高いと発酵がうまく進行しない。投入物の水分率が高い場合また投入量が多い場合あるいは不時の事故などで発酵槽１内の水分率が高くなった場合にも加熱源１５からの加熱空気の供給は強制的に水分を蒸散せしめ正常な水分率に復帰させ発酵を継続させることに有効である。
【００１１】
密閉縦型堆肥化装置をはじめて稼動させる場合は好気性菌が低温のため活性が低いあるいは十分量存在しないなどにより発酵の立ち上がりに時間がかかるという問題があるが、この場合も加熱源１５からの加熱空気の供給は好気性菌の活動に最適な環境を提供するため速やかな立ち上げを可能とする。
【００１２】
【発明の効果】
本発明の密閉縦型堆肥化装置は寒冷地で冬季の密閉縦型堆肥化装置の使用を可能とするとともに寒冷地以外でも冬季の堆肥生産量を夏場と同等もしくは同等以上にし、発酵の立ち上がりが速く、発酵不良の危急時にも対処できる。
【図面の簡単な説明】
【図１】従来の技術で製作された密閉縦型堆肥化装置の内部構造を示す断面図
【図２】本発明の密閉縦型堆肥化装置の内部構造を示す断面図
【符号の説明】
１・・・・・・　発酵槽
１２・・・・・・　下部加熱ジャケット
１３・・・・・・　側面加熱ジャケット
１４・・・・・・　上部加熱ジャケット
１５・・・・・・　加熱源
【図１】
2004002050.tif 000003
【図２】
2004002050.tif 000004